(57)【要約】【課題】  カードの挿入時・取り出し時を問わず固定端子部を露出させないようにすることによって、固定端子部への汚れ・塵埃等の付着を防止するとともに、弾性部材を介してクリーニング部材と固定端子部との接触圧を高め、固定端子部と移動接点部とを適切な接触圧で当接させることのできるカードリーダのクリーニング構造を提供する。【解決手段】  クリーニング部材１０は、カード挿入通路３の上側、すなわちケース端子４，４が位置する下側とは反対側に対向配置されている。クリーニング部材１０の下面は、ＥＴＣカードＣの挿入完了状態で、ＥＴＣカードＣの下面Ｃ１とは反対側の上面Ｃ２に面接触する。クリーニング部材１０は、ＥＴＣカードＣの上面Ｃ２及びケース端子４，４と接触して汚れ等を除去するために、弾力性と吸水性を有するスポンジで構成されている。【選択図】  図２
2009053936.tif 000002
【特許請求の範囲】
【請求項１】
ケース体に開口されたカードスロットから内部に向かうカード挿入通路に沿って挿入されるカードの第一主表面に露出形成された移動接点部と、前記ケース体から前記カード挿入通路に突入可能に対向配置されて前記カードの第一主表面を弾圧保持する固定端子部とを当接させることによって、前記カードに対する情報の記憶・読出を可能となすカードリーダのクリーニング構造であって、
前記カード挿入通路に対して前記固定端子部が位置する側とは反対側に対向配置され、前記カードの挿入完了状態において、前記第一主表面とは反対側の第二主表面に面接触可能なクリーニング部材と、
そのクリーニング部材に対して前記カード挿入通路が位置する側とは反対側に対向配置され、前記カードの挿入完了状態において、前記クリーニング部材を前記カードの第二主表面に押圧保持可能な弾性部材とを備え、
前記カードが前記カードスロットから前記カード挿入通路に沿って挿入されるとき又は取り出されるとき、前記固定端子部が前記カードの第一主表面と相対的に摺動し、かつ前記クリーニング部材が前記カードの第二主表面と接触する形態で、前記弾性部材により前記クリーニング部材が押圧保持される一方、
前記カードの取り出し完了状態では、前記固定端子部が前記カード挿入通路に突入して前記クリーニング部材と接触する形態で、前記弾性部材により前記クリーニング部材が押圧保持されることを特徴とするカードリーダのクリーニング構造。
【請求項２】
前記カードが前記カードスロットから前記カード挿入通路に沿って挿入されるとき、前記カードの第二主表面と接触する前記クリーニング部材は、前記カードの挿入に伴い前記弾性部材の押圧力に抗して前記カード挿入通路が位置する側とは反対側へ移動し、
前記カードの挿入完了状態において、前記カードの移動接点部と前記固定端子部とが当接した状態で前記弾性部材が前記クリーニング部材を前記カードの第二主表面に押圧する請求項１に記載のカードリーダのクリーニング構造。
【請求項３】
前記クリーニング部材は、前記カードの挿入と連動して挿入方向に移動し、かつ挿入されたカードを内部に収容する枠状又は箱状のスライド部材の内側に位置して、前記スライド部材に一体化された状態で固定保持されている請求項１又は２に記載のカードリーダのクリーニング構造。
【請求項４】
前記クリーニング部材は、前記スライド部材による前記カードの取り出しと連動して前記挿入方向と逆方向に移動し、前記カードの取り出し完了状態に復帰する請求項３に記載のカードリーダのクリーニング構造。
【請求項５】
前記ケース体を第一部材とし、前記クリーニング部材と前記スライド部材とのうちの少なくとも一方を第二部材としたとき、
それら第一部材と第二部材との間には、前記第一部材の内部において前記第二部材を前記カードとともに移動するためのガイド部が形成されている請求項３又は４に記載のカードリーダのクリーニング構造。
【発明の詳細な説明】
【技術分野】
【０００１】
本発明は、ＥＴＣ車載器等のカードリーダに用いられるクリーニング構造に関する。
【背景技術】
【０００２】
近年、ＥＴＣ（Electronic Toll Collection：自動料金収受システム）や電子引き落としシステムのような高度キャッシュレスシステムが急速に普及している。これらのシステムでは、主としてＩＣカードを媒介としてＥＴＣ車載器、店頭精算器（店頭決済器）等のカードリーダ（カードリーダアンドライタともいう）によってデータ（取引情報）の記憶（入力）・読出（出力）が行われる。その際、ケース端子（ケース体の固定端子部）とカード接点（カードの移動接点部）とが一定の接触圧で当接することでデータの記憶・読出が可能となる。したがって、ケース体の内部に異物が侵入したり、ケース端子やカード接点（あるいはカードの主表面）に汚れ・塵埃・水分等が付着していたりすると、接触不良・導通不良・短絡等によりデータの記憶・読出が不能となったり、データが破壊されたり、制御の誤作動（暴走）を生じたりする。また、最近ではシステムを相互に共用化する試みもなされているので、カードリーダやＩＣカードを媒介としてこれらの汚れ等が次々と伝染するおそれもある。
【０００３】
特にＥＴＣ車載器では、車両のインストルメントパネル等に半ば埋め込まれる形で固定されて容易に取外しができないため、一旦異物が侵入したり汚れ等が付着したりするとそれらの除去が極めて困難となる場合がある。さらに、ＥＴＣ車載器では走行時の車両の振動に伴うＩＣカードのばたつき（場合によってはカードリーダからの抜け）を防止し耐振性能を向上させるために、ケース端子とカード接点との接触圧を高くすると、カード接点の摩耗・損傷を生ずる場合がある。
【０００４】
そこで、ケース端子やカード接点に接触して汚れ等を除去するクリーニング部材を設けたり、クリーニングカードを用いてケース端子（ヘッド接点）を清掃したりする技術が提案されている（特許文献１，２参照）。
【０００５】
【特許文献１】特開平１０−１６２１０６号公報
【特許文献２】特開平６−１７６２０８号公報
【０００６】
これらのクリーニング手段によれば、ケース端子とカード接点とを所定の接触圧で相対移動させることによって汚れ等を除去する場合と比較して、接触圧を高めなくても安定した清掃効果が得られるため、カード接点（カードの主表面）の摩耗・損傷を抑制できる。しかし、特許文献１に記載の技術では、クリーニングのたびにケース端子を開放移動しなければならないため、クリーニング操作に時間を要し、またクリーニング操作を繰り返すことによって、ケース端子とカード接点との接触圧が経年変動して接触不良等を起こすおそれがある。また、特許文献２に記載の技術では、クリーニングカードを常備しなければならないのでコストが嵩み、クリーニング操作に時間を要するおそれがある。さらに、いずれの文献に記載の技術でも、カードを取り出したときにはケース端子は（ケース体の内部にあるとはいえ）露出した状態におかれるため、ケース端子上で塵埃等が蓄積されると頑固な汚れとなり、除去が困難となるおそれもある。
【発明の開示】
【発明が解決しようとする課題】
【０００７】
本発明の課題は、カードの挿入時・取り出し時を問わず固定端子部を露出させないようにすることによって、固定端子部への汚れ・塵埃等の付着を防止するとともに、弾性部材を介してクリーニング部材と固定端子部との接触圧を高め、固定端子部と移動接点部とを適切な接触圧で当接させることのできるカードリーダのクリーニング構造を提供することにある。
【課題を解決するための手段及び発明の効果】
【０００８】
上記課題を解決するために、本発明のカードリーダのクリーニング構造は、
ケース体に開口されたカードスロットから内部に向かうカード挿入通路に沿って挿入されるカードの第一主表面に露出形成された移動接点部と、前記ケース体から前記カード挿入通路に突入可能に対向配置されて前記カードの第一主表面を弾圧保持する固定端子部とを当接させることによって、前記カードに対する情報の記憶・読出を可能となすカードリーダのクリーニング構造であって、
前記カード挿入通路に対して前記固定端子部が位置する側とは反対側に対向配置され、前記カードの挿入完了状態において、前記第一主表面とは反対側の第二主表面に面接触可能なクリーニング部材と、
そのクリーニング部材に対して前記カード挿入通路が位置する側とは反対側に対向配置され、前記カードの挿入完了状態において、前記クリーニング部材を前記カードの第二主表面に押圧保持可能な弾性部材とを備え、
前記カードが前記カードスロットから前記カード挿入通路に沿って挿入されるとき又は取り出されるとき、前記固定端子部が前記カードの第一主表面と相対的に摺動し、かつ前記クリーニング部材が前記カードの第二主表面と接触する形態で、前記弾性部材により前記クリーニング部材が押圧保持される一方、
前記カードの取り出し完了状態では、前記固定端子部が前記カード挿入通路に突入して前記クリーニング部材と接触する形態で、前記弾性部材により前記クリーニング部材が押圧保持されることを特徴とする。
【０００９】
このように、カードの挿入時・取り出し時にかかわらず、固定端子部（例えばケース端子）にはカード挿入通路に位置する他物（カード又はクリーニング部材）が常時接触している。これによって、固定端子部に対する汚れ・塵埃等の付着が防止され、カードリーダ（例えばＥＴＣ車載器）の信頼性が向上する。このとき固定端子部はケース体に固定状態で配置されているので、移動接点部やクリーニング部材に対する接触圧が経年変動しにくく、安定した接触状態を保持できる。また、弾性部材（例えばばね体）を介してクリーニング部材と固定端子部との接触圧を高め、クリーニング部材による汚れ等の拭き取り性を向上させるとともに、カードの移動接点部（例えばカード接点）の摩耗・損傷を生じにくくして、固定端子部と移動接点部とを適切な接触圧で当接させることができる。つまり、固定端子部と移動接点部との接触圧を高めても移動接点部の摩耗・損傷を生じにくくすることができるので、ＥＴＣ車載器等での耐振性能を向上させることができる。
【００１０】
なお、「カードリーダ」にはＥＴＣ車載器の他に店頭精算器等も含まれる。また、「カード」にはＩＣカードの他に磁気カード等も含まれる。さらに、「カードの第一主表面（第二主表面）」というとき、板状のカードの表面及び裏面のうちの一方（他方）を指す。
【００１１】
固定端子部（ケース端子）は、基端部がケース体内面に固定され、かつ先端部がカード挿入通路に突入してカード及びクリーニング部材と接触可能な自由端を形成する板ばねで構成することができる。これにより固定端子部の弾性変形能を大きくとれるので、カードの移動接点部の摩耗・損傷を一層生じにくくすることができる。
【００１２】
また、弾性部材（ばね体）は、基端部がケース体に固定され、かつ先端部が挿入方向に沿って延びてクリーニング部材と接触可能な自由端を形成する板ばねで構成することができる。これにより弾性部材の弾性力をクリーニング部材に対して挿入方向（長手方向）に均等に作用させることができる。
【００１３】
そして、カードがカードスロットからカード挿入通路に沿って挿入されるとき、カードの第二主表面と接触するクリーニング部材は、カードの挿入に伴い弾性部材の押圧力に抗してカード挿入通路が位置する側とは反対側へ移動し、
カードの挿入完了状態において、カードの移動接点部と固定端子部とが当接した状態で弾性部材がクリーニング部材をカードの第二主表面に押圧することができる。
【００１４】
これにより、カードは挿入に伴ってクリーニング部材を持ち上げるようにして潜り込んだ後、弾性部材で押圧されるので、耐振性能をさらに向上させることができる。
【００１５】
具体的には、クリーニング部材は、カード先端との接触端面が挿入方向奥側ほどカードの第二主表面に接近するように平面状又は曲面状に連続的に傾斜していることが望ましい。クリーニング部材の接触端面が連続的に傾斜することにより、カード先端でのクリーニング部材の持ち上げ（言い換えればカードの潜り込み）が円滑に行われる。
【００１６】
このようなクリーニング部材は、カードの第二主表面及び固定端子部と接触して汚れ等を除去するために、スポンジ等の弾力性と吸水性を有する材料で構成するとよい。これによって、固定端子部への汚れ・塵埃等の付着を防止すると同時に、カードへの水分等の付着も防止することができる。一方、クリーニング部材のカード先端との接触端面には、挿入されるカードの摺動性を向上させるために、硬質樹脂（例えばＰＥＴ樹脂）コーティング等を施すとよい。これによって、カード挿入通路においてカードの挿入を円滑に行えるとともに、クリーニング部材の耐久性を向上させることができる。
【００１７】
また、クリーニング部材は、カードの挿入と連動して挿入方向に移動し、かつ挿入されたカードを内部に収容する枠状又は箱状のスライド部材の内側に位置して、スライド部材に一体化された状態で固定保持されてもよい。これによって、クリーニング部材は、挿入されたカードとともにスライド部材の内側に一体化された状態で固定保持され、スライド部材とともに移動するので、挿入方向への移動が円滑に行われ、耐振性能を向上させることができる。
【００１８】
例えば、スライド部材（スライドホルダ）をカードエジェクト用スライダと兼用する場合には、カード挿入通路内にクリーニング部材をコンパクトに収容することができる。
【００１９】
さらに、クリーニング部材は、スライド部材によるカードの取り出しと連動して挿入方向と逆方向に移動し、カードの取り出し完了状態に復帰してもよい。このように、スライド部材によるカードの取り出しと連動して、クリーニング部材がカードの取り出し完了状態（すなわちカードの挿入前の状態）に復帰すると、カードの挿入・取り出しの操作毎にクリーニング操作が実行できるようになり、クリーニングのための特別の管理を要しなくなる。
【００２０】
上記の例において、カードエジェクト用スライダを、弾性部材よりもばね力が大のエジェクト用ばねで挿入方向と逆方向に移動させる場合には、カードの取り出しとクリーニング部材の移動（戻り）とが、エジェクト用ばねの付勢力によって同時にかつ円滑に行なえる。
【００２１】
ところで、ケース体を第一部材とし、クリーニング部材とスライド部材とのうちの少なくとも一方を第二部材としたとき、それら第一部材と第二部材との間には、第一部材の内部において第二部材をカードとともに移動するためのガイド部を形成することができる。このように、固定側のケース体と、移動側のクリーニング部材及び／又はスライド部材との間にガイド部を形成することによって、カードの挿入・取り出しとクリーニング部材及びスライド部材の移動とを円滑に連動させることができる。
【００２２】
上記ガイド部は、例えば、ケース体（第一部材）の側壁に形成された凹部（ガイド溝又はガイド孔）と、クリーニング部材（第二部材）に突出形成され凹部に係合する凸部（ガイドピン）とを用いると、簡素かつ安価に構成できる。
【００２３】
その際、固定端子部及びガイド部（凹部と凸部）を、それぞれ挿入方向において対をなして構成する場合には、クリーニング部材及びスライド部材が安定して挿入方向に移動できる。
【発明を実施するための最良の形態】
【００２４】
（実施例）
以下、本発明の実施の形態につき図面に示す実施例を参照して説明する。図１は本発明に係るカードリーダの一例としてのＥＴＣ車載器の外観を示す斜視説明図、図２はＥＴＣカードの挿入完了状態における断面図である。図１及び図２に示すＥＴＣ車載器１００（カードリーダ）のケース体１は直方体の箱状を呈し、操作者側の前壁１ａの中央下部に厚さ方向（壁面に直交する方向；カードの挿入方向）に貫通形成されたカードスロット２（カード挿入口）から、内部に向かうカード挿入通路３に沿ってＥＴＣカードＣ（ＩＣカード）が挿入される。そして、ＥＴＣカードＣの下面Ｃ１（裏面；第一主表面）に露出形成されたカード接点Ｃ０（移動接点部）が、ケース体１からカード挿入通路３に突入可能に対向配置されてＥＴＣカードＣの下面Ｃ１を弾圧保持するケース端子４，４（固定端子部）と当接する。これによって、ＥＴＣカードＣに対する情報（主として料金データ）の記憶（入力）・読出（出力）が可能となる。
【００２５】
図２に示すように、ケース端子４，４は挿入方向において対をなして板ばねで構成されている。各ケース端子４は、基端部４ａがケース体１内面に固定され、先端部４ｂがカード挿入通路３に突入してＥＴＣカードＣ及び後述するクリーニング部材１０と接触可能な自由端を形成し、先端部４ｂ同士が向き合うように対向配置されている。板ばねで構成されたケース端子４の先端部４ｂが自由端に形成されているので、ケース端子４の弾性変形能が大きくなり、ＥＴＣカードＣのカード接点Ｃ０の摩耗・損傷が生じにくくなる。
【００２６】
ＥＴＣ車載器１００には、ケース端子４，４に摺動してセルフクリーニングするためのクリーニング部材１０と、そのクリーニング部材１０をケース端子４，４に押圧するためのばね体２０（弾性部材）とが備えられている。
【００２７】
クリーニング部材１０は、カード挿入通路３の上側、すなわちケース端子４，４が位置する下側とは反対側に対向配置されている。クリーニング部材１０の下面は、図２に示すようなＥＴＣカードＣの挿入完了状態で、ＥＴＣカードＣの下面Ｃ１とは反対側の上面Ｃ２（表面；第二主表面）に面接触する。また、クリーニング部材１０は、ＥＴＣカードＣの上面Ｃ２及びケース端子４，４と接触して汚れ等を除去するために、弾力性と吸水性を有するスポンジで構成されている。クリーニング部材１０をスポンジで構成することによって、ケース端子４，４への汚れ・塵埃等の付着を防止すると同時に、ＥＴＣカードＣへの水分等の付着も防止できる。
【００２８】
ばね体２０は、クリーニング部材１０に対してカード挿入通路３が位置する下側とは反対側の上側に対向配置されている。ばね体２０の下面は、図２に示すようなＥＴＣカードＣの挿入完了状態で、クリーニング部材１０をＥＴＣカードＣの上面Ｃ２に押圧保持する。また、ばね体２０は板ばねで構成され、基端部２０ａがケース体１の天井壁１ｂに形成された凹陥部１ｃ（収容部）に固定され、先端部２０ｂが挿入方向に沿って延びてクリーニング部材１０と接触可能な自由端を形成している（図１参照）。ばね体２０を挿入方向に長い板ばねで構成することにより、ばね体２０の弾性力はクリーニング部材１０に対して挿入方向（長手方向）に均等に作用する。
【００２９】
ＥＴＣカードＣがカードスロット２からカード挿入通路３に沿って挿入されるとき、ＥＴＣカードＣの上面Ｃ２と接触するクリーニング部材１０は、ＥＴＣカードＣの挿入に伴いばね体２０の押圧力に抗してカード挿入通路３が位置する下側とは反対側の上側へ移動する（図４（ｃ）参照）。その後図２に示すＥＴＣカードＣの挿入完了状態において、ＥＴＣカードＣのカード接点Ｃ０とケース端子４，４とが当接した状態でばね体２０がクリーニング部材１０をＥＴＣカードＣの上面Ｃ２に押圧する。これにより、ＥＴＣカードＣは挿入に伴ってクリーニング部材１０を持ち上げるようにして潜り込んだ後、ばね体２０で押圧されるので、耐振性能が向上する。
【００３０】
具体的には、クリーニング部材１０は、ＥＴＣカードＣの先端との接触端面１０ａが挿入方向奥側ほどＥＴＣカードＣの上面Ｃ２に接近するように平面テーパ状に連続的に傾斜している。クリーニング部材１０の接触端面１０ａがテーパ状に傾斜することにより、ＥＴＣカードＣの先端でのクリーニング部材１０の持ち上げ（すなわちＥＴＣカードＣの潜り込み）が円滑に行われる。さらに、上記接触端面１０ａには、挿入されるＥＴＣカードＣの摺動性を向上させるために、硬質樹脂（例えばＰＥＴ樹脂）コーティングが施されている。クリーニング部材１０の接触端面１０ａの摺動性を向上させることによって、カード挿入通路３においてＥＴＣカードＣの挿入を円滑に行えるとともに、クリーニング部材１０の耐久性を向上させることができる。
【００３１】
そして、ＥＴＣカードＣがカードスロット２からカード挿入通路３に沿って挿入されるとき、ケース端子４，４がＥＴＣカードＣの下面Ｃ１と相対的に摺動し、かつクリーニング部材１０がＥＴＣカードＣの上面Ｃ２と接触する形態で、ばね体２０によりクリーニング部材１０が押圧保持される（図５参照）。他方、ＥＴＣカードＣの取り出し完了状態では、クリーニング部材１０が引張コイルばね１０ｃ（付勢部材）で引き寄せられ（付勢され）、ケース端子４，４がカード挿入通路３に突入してクリーニング部材１０と接触する形態で、ばね体２０によりクリーニング部材１０が押圧保持される（図３（ａ）参照）。
【００３２】
このように、ＥＴＣカードＣの挿入時・取り出し時にかかわらず、ケース端子４，４にはカード挿入通路３に位置するＥＴＣカードＣ又はクリーニング部材１０が常時接触している。これによって、ケース端子４，４に対する汚れ・塵埃等の付着が防止されるので、ＥＴＣ車載器１００の信頼性が向上する。このときケース端子４，４はケース体１に固定状態で配置されているので、カード接点Ｃ０やクリーニング部材１０に対する接触圧が経年変動しにくく、安定した接触状態を保持できる。また、ばね体２０を介してクリーニング部材１０とケース端子４，４との接触圧を高め、クリーニング部材１０による汚れ等の拭き取り性を向上させるとともに、ＥＴＣカードＣのカード接点Ｃ０の摩耗・損傷を生じにくくして、ケース端子４，４とカード接点Ｃ０とを適切な接触圧で当接させることができる。つまり、ケース端子４，４とカード接点Ｃ０との接触圧を高めてもカード接点Ｃ０の摩耗・損傷を生じにくくすることができるので、ＥＴＣ車載器１００での耐振性能を向上させることができる。
【００３３】
ところで、クリーニング部材１０は、ＥＴＣカードＣの挿入と連動して挿入方向に移動する。またクリーニング部材１０は、挿入されたＥＴＣカードＣを内部に収容する枠状（又は箱状）のカードエジェクト用スライダ３０（スライド部材）の内側に位置して、カードエジェクト用スライダ３０に一体化された状態で固定保持されている。これによって、クリーニング部材１０は、挿入されたＥＴＣカードＣとともにカードエジェクト用スライダ０の内側に一体化された状態で固定保持され、カードエジェクト用スライダ３０とともに移動する。したがって、挿入方向への移動が円滑に行われ、耐振性能を向上させることができる。また、カードエジェクト用スライダ３０によってクリーニング部材１０の保持を兼用しているので、カード挿入通路３内にクリーニング部材１０をコンパクトに収容することができる。
【００３４】
さらに、クリーニング部材１０は、カードエジェクト用スライダ３０によるＥＴＣカードＣの取り出しと連動して挿入方向と逆方向に移動し、ＥＴＣカードＣの取り出し完了状態に復帰する（図３（ａ）参照）。このように、カードエジェクト用スライダ３０によるＥＴＣカードＣの取り出しと連動して、クリーニング部材１０がＥＴＣカードＣの取り出し完了状態（すなわちＥＴＣカードＣの挿入前の状態）に復帰すると、ＥＴＣカードＣの挿入・取り出しの操作毎にクリーニング操作が実行できるようになり、クリーニングのための特別の管理を要しなくなる。
【００３５】
そして、カードエジェクト用スライダ３０を、ばね体２０よりもばね力が大のカードエジェクト用ばね３０ｂで挿入方向と逆方向に移動させている。これによって、ＥＴＣカードＣの取り出しとクリーニング部材１０の移動（戻り）とが、カードエジェクト用ばね３０ｂの付勢力によって同時にかつ円滑に行なえる。
【００３６】
さらに、固定側のケース体１（第一部材）の側壁１ｅに貫通形成されたガイド孔１ｄ（凹部；ガイド部）に、移動側のクリーニング部材１０（第二部材）に突出形成されたガイドピン１０ｂ（凸部；ガイド部）が係合している（図１参照）。これによって、簡素かつ安価な構成で、ＥＴＣカードＣの挿入・取り出しとクリーニング部材１０及びカードエジェクト用スライダ３０の移動とを円滑に連動させることができる。
【００３７】
また、既に述べたケース端子４，４とともに、ガイド孔１ｄ及びガイドピン１０ｂも挿入方向において対をなして構成されているので、クリーニング部材１０及びカードエジェクト用スライダ３０が安定して挿入方向に移動できる。
【００３８】
次に、図３〜図５及び図２を用いて、ＥＴＣカードＣの挿入・取り出しとクリーニング部材１０の作動について説明する。
【００３９】
＜ＥＴＣカードＣの挿入前＞
図３（ａ）に示すＥＴＣカードＣの取り出し完了状態（すなわちＥＴＣカードＣの挿入前の状態）では、クリーニング部材１０が引張コイルばね１０ｃで付勢され、ケース端子４，４がカード挿入通路３に突入してクリーニング部材１０と接触し、ばね体２０によりクリーニング部材１０が押圧保持されている。これにより、ケース端子４，４は汚れ等の付着から保護されている。
【００４０】
＜ＥＴＣカードＣの挿入時＞
図３（ａ）において、ＥＴＣカードＣをカードスロット２（図１参照）からカード挿入通路３に沿って挿入すると、ＥＴＣカードＣの先端がクリーニング部材１０の接触端面１０ａ（テーパ面）に接触する（図３（ｂ））。さらにＥＴＣカードＣを挿入すると、引張コイルばね１０ｃの付勢力（及びカードエジェクト用ばね３０ｂの付勢力）に抗して、クリーニング部材１０と一体のガイドピン１０ｂがケース体１の側壁１ｅに貫通形成されたガイド孔１ｄ（図１参照）の始端水平部分を挿入方向に移動する（図４（ａ））。これによって、クリーニング部材１０がカードエジェクト用スライダ３０とともに挿入方向奥側に移動するので、このとき下面がケース端子４，４の先端部４ｂ，４ｂを摺動してクリーニングする。
【００４１】
引き続きＥＴＣカードＣを挿入すると、ばね体２０の押圧力に抗して、ガイドピン１０ｂがガイド孔１ｄの中間上向き傾斜部分を挿入方向に移動する（図４（ｂ））。これによって、ＥＴＣカードＣの先端でクリーニング部材１０の接触端面１０ａが持ち上げられ（すなわちＥＴＣカードＣが潜り込み）、クリーニング部材１０がカードエジェクト用スライダ３０の内部で上方に移動する。その後、クリーニング部材１０及びカードエジェクト用スライダ３０はその位置を保持しつつ、クリーニング部材１０の上方移動によりカード挿入通路３に形成された空間をＥＴＣカードＣが挿入方向奥側に移動する（図５（ａ））。これによって、ＥＴＣカードＣの下面Ｃ１がケース端子４，４の先端部４ｂ，４ｂを摺動し、カード接点Ｃ０がケース端子４，４の先端部４ｂ，４ｂに当接してばね体２０で押圧保持される。このとき、ＥＴＣカードＣの先端はカードエジェクト用スライダ３０の最前部に達している。
【００４２】
更なるＥＴＣカードＣの挿入により、引張コイルばね１０ｃの付勢力（及びカードエジェクト用ばね３０ｂの付勢力）に抗して、ガイドピン１０ｂがガイド孔１ｄの終端下向き傾斜部分を挿入方向に移動する（図５（ｂ））。ガイドピン１０ｂがガイド孔１ｄの終端に達すると、ばね体２０の先端部２０ｂ（図１参照）がカードエジェクト用スライダ３０の開口部３０ａに嵌合して、カード接点Ｃ０とケース端子４，４の先端部４ｂ，４ｂとの当接状態と、クリーニング部材１０の下面とＥＴＣカードＣの上面Ｃ２との接触状態とを押圧保持し、ＥＴＣカードＣの挿入が完了する（図２）。
【００４３】
＜ＥＴＣカードＣの取り出し時＞
図２においてＥＴＣカードＣの取り出す際には、カードエジェクト用ボタン３１（図１参照）を押すと、カードエジェクト用スライダ３０がカードエジェクト用ばね３０ｂの付勢力により挿入方向と逆方向に移動する。このとき、カードエジェクト用ばね３０ｂの付勢力（ばね力）はばね体２０の押圧力（ばね力）よりも大に設定されている。そこで、カードエジェクト用スライダ３０及びクリーニング部材１０は、以上で説明したＥＴＣカードＣの挿入時とは逆作動して図３（ａ）に示すＥＴＣカードＣの取り出し完了状態（ＥＴＣカードＣの挿入前の状態）に戻る。
【００４４】
いずれにしても、ＥＴＣカードＣの挿入前・挿入時・取り出し時にかかわらず、ケース端子４，４にはカード挿入通路３に位置するＥＴＣカードＣ又はクリーニング部材１０が常時接触している。これによって、ケース端子４，４に対する汚れ・塵埃等の付着が防止されるので、ＥＴＣ車載器１００の信頼性が向上する。
【００４５】
なお、以上の実施例では、カードリーダとしてＥＴＣ車載器についてのみ説明したが、店頭精算器（店頭決済器）等に適用してもよい。また、クリーニング部材１０がカードエジェクト用スライダ３０に一体化された状態で固定保持され作動する場合について説明したが、その他のスライド部材に保持されて作動してもよく、クリーニング部材単独で作動することも可能である。
【図面の簡単な説明】
【００４６】
【図１】本発明に係るカードリーダの一例としてのＥＴＣ車載器の外観を示す斜視説明図。
【図２】ＥＴＣカードの挿入完了状態における断面図。
【図３】ＥＴＣカードの取り出し完了状態からＥＴＣカードを順次挿入するときの断面図。
【図４】図３に続いてさらにＥＴＣカードを挿入するときの断面図。
【図５】図４に続いてさらにＥＴＣカードを挿入するときの断面図。
【符号の説明】
【００４７】
１          ケース体
１ａ        前壁
１ｂ        天井壁
１ｃ        凹陥部（収容部）
１ｄ        ガイド孔（凹部；ガイド部）
１ｅ        側壁
２          カードスロット（カード挿入口）
３          カード挿入通路
４          ケース端子（固定端子部）
４ａ        基端部
４ｂ        先端部
１０        クリーニング部材
１０ａ      接触端面
１０ｂ      ガイドピン（凸部；ガイド部）
１０ｃ      引張コイルばね（付勢部材）
２０        ばね体（弾性部材）
２０ａ      基端部
２０ｂ      先端部
３０        カードエジェクト用スライダ（スライド部材）
３０ａ      開口部
３０ｂ      カードエジェクト用ばね（付勢部材）
３１        カードエジェクト用ボタン
１００      ＥＴＣ車載器（カードリーダ）
Ｃ          ＥＴＣカード（ＩＣカード）
Ｃ０        カード接点（移動接点部）
Ｃ１        下面（裏面；第一主表面）
Ｃ２        上面（表面；第二主表面）
【図１】
2009053936.tif 000003
【図２】
2009053936.tif 000004
【図３】
2009053936.tif 000005
【図４】
2009053936.tif 000006
【図５】
2009053936.tif 000007